(57)【要約】【課題】より防火性が高い建具を提供する。【解決手段】開口を形成する枠体と、前記開口に設けられる障子と、表面に複数の突部を有し、前記枠体と前記障子が対向する部位に取り付けられる取付部材と、前記取付部材が有する前記複数の突部を覆う平坦な面をなす平坦部を備えて、当該取付部材が取り付けられている前記枠体または前記障子に固定されるカバー部材と、前記平坦部に接着されている加熱発泡材と、を有する。【選択図】図７
2018012952.tif 000002
【特許請求の範囲】
【請求項１】
開口を形成する枠体と、
前記開口に設けられる障子と、
表面に複数の突部を有し、前記枠体と前記障子が対向する部位に取り付けられる取付部材と、
前記取付部材が有する前記複数の突部を覆う平坦な面をなす平坦部を備えて、当該取付部材が取り付けられている前記枠体または前記障子に固定されるカバー部材と、
前記平坦部に接着されている加熱発泡材と、
を有することを特徴とする建具。
【請求項２】
請求項１に記載の建具であって、
前記カバー部材は、前記平坦部から突出し、前記加熱発泡材が前記平坦部との間に配置される突出部を備えていることを特徴とする建具。
【請求項３】
請求項１または請求項２に記載の建具であって、
前記枠体と前記障子との間には、前記カバー部材とともに全周に繋がるように、加熱発泡材が設けられていることを特徴とする建具。
【請求項４】
請求項１乃至請求項３のいずれかに記載の建具であって、
前記取付部材は、前記障子を前記枠体に開閉自在に支持するヒンジであることを特徴とする建具。
【発明の詳細な説明】
【技術分野】
【０００１】
本発明は、防火性を備えた建具に関する。
【背景技術】
【０００２】
防火性を備えた建具は、火災時に防火性能を確保するために、枠と障子との間に加熱発泡材を備え、火災の熱により発泡した加熱発泡材により枠と障子との間に障子の全周に渡って連続した火炎に対するタイトラインが形成されることが望ましい。
【０００３】
建具は、開口を形成する枠に開閉自在に障子が設けられる場合には、枠と障子との間に、取付部材として、例えばヒンジが設けられている場合がある。ヒンジは、障子のサイズが大きい場合には、障子を支持する為にヒンジ自体にも高い剛性が求められる。このため、枠と障子にそれぞれ固定される、ヒンジの部位は、リブなどを設けて剛性が高められている。
【発明の概要】
【発明が解決しようとする課題】
【０００４】
上記建具のように、剛性が高いヒンジにより障子が枠に固定されている建具では、固定されているヒンジの表面に凹凸があるため、加熱発泡材等を貼り付けたとしても接着面積が十分に確保できず貼り付けられない、或いは、接着し難い虞があり、ヒンジが設けられている範囲においてタイトラインが連続して形成できず防火性が低下するという課題がある。
本発明は、かかる課題に鑑みてなされたものであり、その目的とするところは、より防火性が高い建具を提供することにある。
【課題を解決するための手段】
【０００５】
かかる目的を達成するために本発明の建具は開口を形成する枠体と、前記開口に設けられる障子と、表面に複数の突部を有し、前記枠体と前記障子が対向する部位に取り付けられる取付部材と、前記取付部材が有する前記複数の突部を覆う平坦な面をなす平坦部を備えて、当該取付部材が取り付けられている前記枠体または前記障子に固定されるカバー部材と、前記平坦部に接着されている加熱発泡材と、を有することを特徴とする建具である。
【０００６】
このような建具によれば、表面に複数の突部を有している取付部材が、枠体と障子が対向する部位に取り付けられており、取付部材の表面を覆う平坦部を備えたカバー部材の平坦部に加熱発泡材が接着されている。このため、加熱発泡材は、複数の突部を有する取付部材の表面ではなく、取付部材の表面を覆うカバー部材の平坦部に接着されているので、十分な接着面積を確保して加熱発泡材を備えることが可能である。このため、枠体と障子とが対向する部位の表面に複数の突部を備えている取付部材が設けられていたとしても、加熱発泡材は外れ難く、より確実に配置しておくことが可能である。このため、枠体と障子とが対向する部位に連続した火炎に対するタイトラインが形成しやすいので、より防火性が高い建具を提供することが可能である。
【０００７】
かかる建具であって、前記カバー部材は、前記平坦部から突出し、前記加熱発泡材が前記平坦部との間に配置される突出部を備えていることが望ましい。
このような建具によれば、加熱発泡材は、カバー部材の平坦部から突出する突出部と平坦部との間に配置されているので、加熱発泡材の剥がれる方向への移動が突出部により規制される。このため、加熱発泡材はより剥がれにくいので、より確実に平坦部に留めておくことが可能である。
【０００８】
かかる建具であって、前記枠体と前記障子との間には、前記カバー部材とともに全周に繋がるように、加熱発泡材が設けられていることが望ましい。
このような建具によれば、枠体と障子との間には、平坦部に加熱発泡材が設けられているカバー部材と、当該カバー部材とともに設けられる加熱発泡材とが全周に繋がっているので、ほぼ全周に渡って加熱発泡材が設けられている。枠体と障子とが対向する部位において、取付部材が設けられている部位の全域に加熱発泡材が設けられていない場合より、高い防火性を備えることが可能である。
【０００９】
かかる建具であって、前記取付部材は、前記障子を前記枠体に開閉自在に支持するヒンジであることが望ましい。
このような建具によれば、例えば、剛性を高めるためにリブなどにより補強されることにより表面に複数の突部を有するヒンジは、大型の障子を支持することが可能なので、大きなサイズの建具にあっても、より高い防火性能を備えることが可能である。
【発明の効果】
【００１０】
本発明によれば、より防火性が高い建具を提供することが可能である。
【図面の簡単な説明】
【００１１】
【図１】本実施形態に係る建具の縦断面図である。
【図２】本実施形態に係る建具の横断面図である。
【図３】下枠と下框とが対向する部位を示す縦断面図である。
【図４】下框に取り付けられているヒンジを示す斜視図である。
【図５】図５（ａ）は、カバー部材を示す斜視図であり、図５（ｂ）は、熱膨張性黒鉛が接着されたカバー部材を示す斜視図である。
【図６】下框に取り付けられているヒンジ及びカバー部材を示す斜視図である。
【図７】下框に設けられている熱膨張性黒鉛を示す図である。
【発明を実施するための形態】
【００１２】
以下、本発明の一実施形態に係る建具について図面を参照して説明する。
本実施形態の建具１は、例えば図１、図２に示すような外倒し窓用の建具１である。
【００１３】
以下の説明においては、建物に取り付けられている状態の建具１を室内側から見たときに、上下となる方向を上下方向、左右となる方向を左右方向、奥行き方向を見込み方向として示す。建具１の各部位であっても、また、建具１を構成する各部材については単体の状態であっても、建物に取り付けられた状態にて上下方向、左右方向、見込み方向となる方向にて方向を特定して説明する。
【００１４】
建具１は、図１、図２に示すように、建物等に取り付けられた状態にて上に位置する上枠２１と、下に位置する下枠２２と、左右に位置する縦枠２３とが矩形状に接合された枠体２と、枠体２に設けられ回動することにより枠体２により形成される開口２ｃを閉塞可能な障子３と、を備えている。この建具１は、障子３の下端が下枠２２にヒンジ４を介して回動自在に支持されており、障子３の上端側が屋外側に移動するように障子３が回動する外倒し窓用の建具１である。
【００１５】
枠体２は、上枠２１、下枠２２と左右の縦枠２３の、各々見込み方向に沿う枠見込面部２ａと、枠見込面部２ａから、矩形をなす枠体２の内側に延出する室内延出部２ｂと、を有している。各室内延出部２ｂは、枠体２の見込み方向における室内側に配置されて同一平面をなし、その中央側が矩形状の開口２ｃをなしている。各室内延出部２ｂの内周側、すなわち開口２ｃを形成している縁部には、室外側に向かって突出し、閉じた状態の障子３が当接される止水材５が全周に渡って設けられている。
【００１６】
障子３は、複層ガラス３ａと、複層ガラス３ａの上側に位置する上框３１、下側に位置する下框３２及び左右に配置されて対をなす縦框３３を有する框体３０と、を有している。矩形状に接合された框体３０の内周部に設けられ、内周側が開放されて外周側に窪む溝部に、周端部が収容されて複層ガラス３ａが保持されている。
【００１７】
框体３０の外周部には、障子３を閉じた状態で、枠体２の枠見込面部２ａと対向する框見込面部３０ａと、框見込面部３０ａの室内側の縁から内周側に延出されて、各室内延出部２ｂに設けられた止水材５に当接される室内壁部３０ｂと、框見込面部３０ａの室外側の縁から外周側に延出された室外延出部３０ｃと、を有している。下框３２及び左右の縦框３３の室外延出部３０ｃの外周縁部には、外周側に突出させて枠体２の、枠見込面部２ａに当接される止水材６が設けられている。また、上框３１の室外延出部３０ｃの外周縁部には、上枠２１の枠見込面部２ａにおける室外側の端部に、内周側に突出させて設けられた止水材７が当接されている。
【００１８】
このため、枠体２と框体３０との間には、枠体２の枠見込面部２ａ及び室内延出部２ｂと框体３０の框見込面部３０ａ及び室外延出部３０ｃと、止水材５、６、７とにより全周にわたって形成される空間が形成されている。
【００１９】
また、下枠２２と下框３２とは、２つのヒンジ４により連結されている。ヒンジ４は、図３、図４に示すように、下枠２２の枠見込面部２ａに固定される枠側固定部４１と、下框３２に固定される框側固定部４２と、を有している。枠側固定部４１と框側固定部４２とは、下枠２２及び下框３２の長手方向に沿って設けられている回動軸４３により回動自在に連結されている。枠側固定部４１は、枠見込面部２ａに対面させて当接される板状の部位であり、枠見込面部２ａと反対側に窪ませた枠側リブ４１ａが設けられている。枠側固定部４１において下枠２２の枠見込面部２ａより室外側に張り出している部位にて框側固定部４２と回動軸４３により連結されている。
【００２０】
框側固定部４２は、下框３２の框見込面部３０ａに対面させて当接される第１固定部４２ａと、室外延出部３０ｃに対面させて当接される第２固定部４２ｂと、がほぼ直角をなして繋がっている。框側固定部４２は、第１固定部４２ａから第２固定部４２ｂにわたり、框見込面部３０ａ及び室外延出部３０ｃの反対側に突出する突部としての框側リブ４２ｃが複数設けられている。框側固定部４２は、第２固定部４２ｂにおける第１固定部４２ａと反対側の端部が枠側固定部４１と回動軸４３により連結されている。ここで、ヒンジ４が取付部材に相当する。
【００２１】
下框３２には、框見込面部３０ａに固定されている第２固定部４２ｂの複数の框側リブ４２ｃと僅かに間隔を空けて対向する平坦な面をなす平坦部８ａを備えて、ヒンジ４が取り付けられている下框３２に固定されるカバー部材８が設けられている。
【００２２】
カバー部材８は、図５、図６に示すように、平坦部８ａにおける下框３２の長手方向の両端部に、框見込面部３０ａにビス止めされるビス止め部８ｂを有し、２つのビス止め部８ｂと平坦部８ａとの間にはそれぞれ、段差を有するビス止め部８ｂと平坦部８ａとの間を繋ぐ傾斜部８ｃが設けられている。また、平坦部８ａにおける第２固定部４２ｂ側の端部は、第２固定部４２ｂと間隔を空けて対面する対面部８ｄが設けられている。
【００２３】
また、平坦部８ａには、図５（ａ）に示すように、下框３２の長手方向における中央部に位置させて、下枠２２の室内延出部２ｂ側から対面部８ｄ側に向かって框見込面部３０ａから漸次離れる方向に傾斜するように曲げ起こされた突出部としての曲起部８ｅと、曲起部８ｅの先端から延出され、曲起部８ｅから離れるにつれて框見込面部３０ａに近づく先端近接部８ｆとを有している。先端近接部８ｆの先端は、框見込面部３０ａと間隔が空けられている。
【００２４】
カバー部材８には、平坦部８ａの両面と対面部８ｄの第２固定部４２ｂ側の面にそれぞれ、加熱発泡材としての熱膨張性黒鉛９が貼り付けられている。また、下框３２の框見込面部３０ａには、長手方向においてカバー部材８が設けられていない部位にも熱膨張性黒鉛９がカバー部材８と繋がって設けられている。このとき、熱膨張性黒鉛９は、図５（ｂ）に示すように、曲起部８ｅ及び先端近接部８ｆと框見込面部３０ａとの間にも設けられている。
【００２５】
枠体２と框体３０との間には、下枠２２と下框３２の間のみならず、上枠２１と上框３１との間、左の縦枠２３と左の縦框３３との間、右の縦枠２３と右の縦框３３との間にも、それぞれ、熱膨張性黒鉛９が設けられている。より具体的には、上枠２１、左右の縦枠２３の室内延出部２ｂにおける室外側の面に、上枠２１、左右の縦枠２３の全長にわたって熱膨張性黒鉛９が貼り付けられている。また、左右の縦框３３の框見込面部３０ａの室外側の部位に、左右の縦框３３の全長にわたって熱膨張性黒鉛９が貼り付けられている。
【００２６】
本実施形態の建具１によれば、枠体２と障子３の框体３０が対向する部位には、表面に複数の框側リブ４２ｃを備えているヒンジ４が取り付けられているが、ヒンジ４の表面を覆う平坦部８ａを備えたカバー部材８の平坦部８ａに熱膨張性黒鉛９が設けられているので、十分な接着面積を確保して熱膨張性黒鉛９を備えることが可能である。このため、枠体２と框体３０とが対向する部位に表面に複数の框側リブ４２ｃを備えているヒンジ４が設けられていたとして、熱膨張性黒鉛９は外れ難く、より確実に配置しておくことが可能である。このため、枠体２と框体３０とが対向する部位に火炎に対するタイトラインを連続して形成しやすいので、より防火性が高い建具１を提供することが可能である。
【００２７】
また、熱膨張性黒鉛９は、カバー部材８の平坦部８ａより表面側に突出する曲起部８ｅ及び先端近接部８ｆと平坦部８ａとの間に配置されているので、剥がれる方向への熱膨張性黒鉛９の移動が曲起部８ｅにより規制される。このため、熱膨張性黒鉛９はより剥がれにくいので、より確実に平坦部８ａに留めておくことが可能である。
【００２８】
また、枠体２と框体３０との間には、平坦部８ａに熱膨張性黒鉛９が設けられているカバー部材８と熱膨張性黒鉛９とが全周に繋がっているので、ほぼ全周に渡って熱膨張性黒鉛９が設けられている。このため、枠体２と框体３０とが対向する部位において、ヒンジ４が設けられている部位の全域に加熱発泡材が設けられていない場合より、高い防火性を備えることが可能である。また、下枠２２と下框３２との間の狭い空間内にて熱膨張性黒鉛９が発泡すると、下枠２２と下框３２との間において発泡した熱膨張性黒鉛９が充満する。このため、たとえカバー部材８のビス止め部８ｂ及び傾斜部８ｃに熱膨張性黒鉛９が設けられていなくとも、発泡した熱膨張性黒鉛９が、熱膨張性黒鉛９が設けられていない僅かな空間にも回り込んで、全周に繋がった火炎に対するタイトラインを形成することが可能である。尚、ビス止め部８ｂ及び傾斜部８ｃにも熱膨張性黒鉛９を設けても良い。
【００２９】
また、剛性を高めるために框側リブ４２ｃや枠側リブ４１ａなどにより補強されて、表面に複数の凹凸が形成されているヒンジ４であっても、熱膨張性黒鉛９を確実に備えることが可能なので、大型の障子３を支持することが可能である。このため、大きなサイズの建具にあっても、より高い防火性能を備えることが可能である。
【００３０】
上記実施形態においては、ヒンジ４において、下框３２に固定される框側固定部４２側にカバー部材８と熱膨張性黒鉛９とを設けた例について説明したが、これに限らず、例えば、下枠２２の枠見込面部２ａに固定される枠側固定部４１側にカバー部材８と熱膨張性黒鉛９とを設けても構わない。
【００３１】
また上記実施形態においては、取付部材をヒンジとしたが、取付部材は、室内外を貫通する可能性を有する空間に設けられて、連続して加熱発泡材を設けることを遮る部材であれば、ヒンジに限るものではない。
上記実施形態においては、加熱発泡材を熱膨張性黒鉛９としたが、加熱されて膨張する耐火材であれば、熱膨張性黒鉛に限るものではない。
【００３２】
上記実施形態においては、建具１として外倒し窓用の建具１を例に挙げて説明したが、これに限らず、例えば、引き違い窓、開き窓、すべり出し窓など、枠体により形成される開口を閉塞可能な障子を備えた建具であれば構わない。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  建具、２  枠体、２ｃ  開口、３  障子、４  ヒンジ、８  カバー部材、
８ａ  平坦部、８ｅ  曲起部、８ｆ  先端近接部、９  熱膨張性黒鉛、
３０  框体、４１  枠側固定部、４２  框側固定部、４２ｃ  框側リブ
【図１】
2018012952.tif 000003
【図２】
2018012952.tif 000004
【図３】
2018012952.tif 000005
【図４】
2018012952.tif 000006
【図５】
2018012952.tif 000007
【図６】
2018012952.tif 000008
【図７】
2018012952.tif 000009